(57)【要約】【課題】十分なサービス性を以って的確に食材を管理、発注、調達できる機能を持つ食材管理発注システムを提供すること。【解決手段】このシステムでは、ネットワークＮＷ１０４を介在して各食品小売点端末１０２−１〜１０２−３に対してデータ通信が可能となるように接続された地上デジタル対応テレビ１０１がインテリジェント冷蔵庫１０３との間でデータ通信が可能となるように接続されて構成され、テレビ１０１のレシピデータ受信部１０１ａで受信された料理に必要な食材情報を含むレシピ情報と、冷蔵庫１０３における在庫情報登録部１０３ｂで得られた庫内に所有する食材の在庫情報及び残量情報計算・登録部１０３ｄで得られた残量情報と、を比較した結果に基づいて、テレビ１０１の発注データ計算・処理部１０１ｂが必要な食材を的確に洗い出して最適な発注データを作成し、その発注データをＮＷ１０４経由で端末１０２−１〜１０２−３へ発注する。【選択図】図１
2011203932.tif 000002
【特許請求の範囲】
【請求項１】
ネットワークを介在して複数の食品小売点端末に対してデータ通信が可能となるように接続された地上デジタル対応テレビと、前記地上デジタル対応テレビとの間でデータ通信が可能となるように接続されたインテリジェント冷蔵庫と、を備えた食材管理発注システムであって、
前記インテリジェント冷蔵庫は、冷蔵庫内に所有する食材の在庫情報と料理に必要な食材情報とを比較した結果に基づいて当該食材の残量を予測した残量情報とを取得する機能を持ち、
前記地上デジタル対応テレビは、受信した料理に必要な食材情報を含む当該料理の調理法の手順であるレシピ情報と前記インテリジェント冷蔵庫で得られた前記在庫情報及び前記残量情報とを比較した結果に基づいて、必要な食材についての最適な発注データを作成し、当該発注データを前記ネットワーク経由で前記複数の食品小売点端末へ発注する機能を持つことを特徴とする食材管理発注システム。
【請求項２】
請求項１記載の食材管理発注システムにおいて、前記インテリジェント冷蔵庫は、前記在庫情報をデータベースに登録する在庫情報登録手段と、前記食材情報及び前記在庫情報に基づいて食材の使い切りの時期を予測して使い切り情報を計算して前記データベースに登録する使い切り情報計算・登録手段と、前記使い切り情報に応じて不足食材を事前に発注するための補充情報を含むように前記残量情報を計算して前記データベースに登録する残量情報計算・登録手段と、を備え、前記地上デジタル対応テレビは、前記レシピ情報を受信するレシピ情報受信手段と、前記レシピ情報と在庫情報及び前記残量情報とを比較した結果に基づいて、前記発注データとして前記補充情報を反映した必要な食材についての最適な発注データを計算して前記複数の食品小売点端末へ送信して発注する発注データ計算・処理手段と、を備えたことを特徴とする食材管理発注システム。
【請求項３】
請求項２記載の食材管理発注システムにおいて、前記インテリジェント冷蔵庫は、ＩＣタグが付加された食材に対して冷蔵庫を閉じるタイミングで当該冷蔵庫内をスキャンして当該ＩＣタグを読み取ることで得た前記ＩＣタグ情報を前記在庫情報として前記データベースに登録するＩＣタグ読み取り手段を備え、
前記在庫情報登録手段は、前記ＩＣタグによる読み取り結果に応じて前記在庫情報を更新してデータベースに登録することを特徴とする食材管理発注システム。
【請求項４】
請求項２記載の食材管理発注システムにおいて、前記使い切り情報計算・登録手段は、前記使い切り情報として、前記食材情報における食材のそれぞれについての入庫と使い切り期間との蓄積を平均化した使い切り期間を割り出すことを特徴とする食材管理発注システム。
【発明の詳細な説明】
【技術分野】
【０００１】
本発明は、食材管理調達システムに係り、詳しくはインテリジェント冷蔵庫に対応した食材管理発注システムに関する。
【背景技術】
【０００２】
近年、インターネットの普及によりＰＣ（パーソナルコンピュータ）や携帯電話機向けのＥＣ（電子商取引）システムが発展している。今後は地上デジタル化に伴い登場する新しい端末や次世代家電との連携によりＰＣや携帯電話機では実現できないサービスを持つ次世代のＥＣシステムの登場が期待されている。
【０００３】
特に食材発注分野においては、デジタル放送の料理番組と連動した料理に必要な食材情報を含む料理の調理法の手順であるレシピ情報の活用が期待されており、既に提案されている周知技術として、デジタル放送から料理情報を受信し、ユーザが持ち運び可能な携帯記録端末に受信した料理情報及び所有する食材在庫情報を記録するようにした「食材管理調達システム」（特許文献１参照）が挙げられる。
【先行技術文献】
【特許文献】
【０００４】
【特許文献１】特開２００３−５８６９９号公報
【発明の概要】
【発明が解決しようとする課題】
【０００５】
上述した特許文献１に係る食材管理調達システムは、地上デジタル放送の料理番組やサイトから受信した料理に必要な食材情報を含む料理の調理法の手順であるレシピ情報を食材管理装置へ提供して効率的に食材を管理、調達できるものであるが、受信したレシピ情報を例えば冷蔵庫内の食材についての在庫情報及びその残量を予測した残量情報と比較した結果に応じて、必要な食材を詳細且つ的確に洗い出して発注情報を作成するような機能はなく、そうした意味で十分なサービス性を以って的確に食材を管理、発注、調達する機能の構築には至っていないという問題がある。
【０００６】
本発明は、このような問題点を解決すべくなされたもので、その技術的課題は、十分なサービス性を以って的確に食材を管理、発注、調達できる機能を持つ食材管理発注システムを提供することにある。
【課題を解決するための手段】
【０００７】
上記技術的課題を解決するため、本発明は、ネットワークを介在して複数の食品小売点端末に対してデータ通信が可能となるように接続された地上デジタル対応テレビと、地上デジタル対応テレビとの間でデータ通信が可能となるように接続されたインテリジェント冷蔵庫と、を備えた食材管理発注システムであって、インテリジェント冷蔵庫は、冷蔵庫内に所有する食材の在庫情報と料理に必要な食材情報とを比較した結果に基づいて当該食材の残量を予測した残量情報とを取得する機能を持ち、地上デジタル対応テレビは、受信した料理に必要な食材情報を含む当該料理の調理法の手順であるレシピ情報とインテリジェント冷蔵庫で得られた在庫情報及び残量情報とを比較した結果に基づいて、必要な食材についての最適な発注データを作成し、当該発注データをネットワーク経由で複数の食品小売点端末へ発注する機能を持つことを特徴とする。
【０００８】
上記食材管理発注システムの第１の実施態様は、インテリジェント冷蔵庫は、在庫情報をデータベースに登録する在庫情報登録手段と、食材情報及び在庫情報に基づいて食材の使い切りの時期を予測して使い切り情報を計算してデータベースに登録する使い切り情報計算・登録手段と、使い切り情報に応じて不足食材を事前に発注するための補充情報を含むように残量情報を計算してデータベースに登録する残量情報計算・登録手段と、を備え、地上デジタル対応テレビは、レシピ情報を受信するレシピ情報受信手段と、レシピ情報と在庫情報及び残量情報とを比較した結果に基づいて、発注データとして補充情報を反映した必要な食材についての最適な発注データを計算して複数の食品小売点端末へ送信して発注する発注データ計算・処理手段と、を備えたことを特徴とする。
【０００９】
上記食材管理発注システムの第２の実施態様は、インテリジェント冷蔵庫は、ＩＣタグが付加された食材に対して冷蔵庫を閉じるタイミングで当該冷蔵庫内をスキャンして当該ＩＣタグを読み取ることで得たＩＣタグ情報を在庫情報としてデータベースに登録するＩＣタグ読み取り手段を備え、在庫情報登録手段は、ＩＣタグによる読み取り結果に応じて在庫情報を更新してデータベースに登録することを特徴とする。
【００１０】
上記食材管理発注システムの第３の実施態様は、使い切り情報計算・登録手段は、使い切り情報として、食材情報における食材のそれぞれについての入庫と使い切り期間との蓄積を平均化した使い切り期間を割り出すことを特徴とする。
【発明の効果】
【００１１】
本発明の食材管理発注システムによれば、受信されたレシピ情報と所有する冷蔵庫内の食材の在庫情報及びその残量を予測した残量情報とを比較した結果に基づいて、必要な食材を的確に洗い出して最適な発注情報を作成するため、従来に無く十分なサービス性を以って的確に食材を管理、発注、調達することができる。
【図面の簡単な説明】
【００１２】
【図１】本発明の実施例１に係るインテリジェント冷蔵庫対応タイプの食材管理発注システムの基本構成の全体を示した概略図である。
【図２】図１に示す食材管理発注システムのインテリジェント冷蔵庫に備えられるＩＣタグ読み取り部、及び在庫情報登録部の動作処理を示すフローチャートである。
【図３】図１に示す食材管理発注システムのインテリジェント冷蔵庫に備えられる使い切り情報計算・登録部、及び残量情報計算・登録部の動作処理を示すフローチャートである。
【図４】図１に示す食材管理発注システムの地上デジタル対応テレビに備えられるレシピデータ受信部、及び発注データ計算・処理部の動作処理を示すフローチャートである。
【図５】図１に示す食材管理発注システムにおけるインテリジェント冷蔵庫に備えられる食材データベースの情報処理で扱う食材マスタのテーブル形式のデータを例示した図である。
【図６】図１に示す食材管理発注システムにおけるインテリジェント冷蔵庫に備えられる食材データベースの情報処理で扱う食材明細テーブルのデータを例示した図である。
【図７】図１に示す食材管理発注システムにおけるインテリジェント冷蔵庫に備えられる食材データベースの情報処理で扱う食材ステータステーブルのデータを例示した図である。
【図８】図１に示す食材管理発注システムにおける地上デジタル対応テレビに備えられるレシピデータ受信部の情報処理で扱うレシピデータを例示した図である。
【図９】図１に示す食材管理発注システムにおける地上デジタル対応テレビに備えられる発注データ計算・処理部の情報処理で扱う発注データを例示した図である。
【発明を実施するための形態】
【００１３】
以下に、本発明の食材管理発注システムについて、図面を参照して詳細に説明する。
【実施例１】
【００１４】
図１は、本発明の実施例１に係るインテリジェント冷蔵庫対応タイプの食材管理発注システムの基本構成の全体を示した概略図である。
【００１５】
この食材管理発注システムは、ネットワーク１０４を介在して複数（ここでは３系統を示す）の食品小売点端末１０２−１〜１０２−３に対してデータ通信が可能となるように接続された地上デジタル対応テレビ１０１と、この地上デジタル対応テレビ１０１との間でデータ通信が可能となるように接続されたインテリジェント冷蔵庫１０３と、を備えて構成される。因みに、ここでの各食品小売点端末１０２−１〜１０２−３は、一般的に良く知られているように、略図するＣＰＵ、主メモリ、ＨＤＤ等による記憶装置、表示装置、キーボードマウス等の入出力装置を備えて構成されるものである。
【００１６】
インテリジェント冷蔵庫１０３は、冷蔵庫内に所有する食材の在庫情報と料理に必要な食材情報とを比較した結果に基づいて食材の残量を予測した残量情報を取得する機能を持つ。地上デジタル対応テレビ１０１は、受信した料理に必要な食材情報を含む料理の調理法の手順であるレシピ情報（レシピデータ）とインテリジェント冷蔵庫１０３で得られた在庫情報及び残量情報とを比較した結果に基づいて、必要な食材についての最適な発注データ（情報）を作成し、その発注データをネットワーク１０４経由で各食品小売点端末１０２−１〜１０２−３へ発注する機能を持つ。
【００１７】
具体的に云えば、インテリジェント冷蔵庫１０３は、冷蔵庫の扉を閉じる際に食材に付加したＩＣタグを読み取るためのＩＣタグ読み取り部１０３ａと、ＩＣタグ読み取り部１０３ａで読み取られたＩＣタグ情報に基づいて冷蔵庫内の食材の在庫情報を登録する在庫情報登録部１０３ｂと、料理に必要な食材情報及び在庫情報に基づいて食材の入庫から使い切りまでの期間に基づいて食材を使い切る時期の使い切り情報を計算して登録する使い切り情報計算・登録部１０３ｃと、使い切り情報に応じて不足食材を事前に発注するための補充情報を含むように残量情報を予測して計算して登録する残量情報計算・登録部１０３ｄと、食材の登録に必要な各種情報を蓄積して格納する食材データベースＤＢ１０３ｆと、各部を動作制御して食材データベースＤＢ１０３ｆに対して登録に必要な各種情報を格納したり、或いは読み出しを行うデータベースＤＢ制御部１０３ｅと、を備えて構成される。
【００１８】
このうち、ＩＣタグ読み取り部１０３ａは、ＩＣタグが付加された食材に対して冷蔵庫を閉じるタイミングで冷蔵庫内をスキャンし、ＩＣタグを読み取ることで得たＩＣタグ情報を在庫情報として食材データベースＤＢ１０３ｆに登録する。このとき、在庫情報登録部１０３ｂは、ＩＣタグによる読み取り結果に応じて在庫情報を更新して食材データベースＤＢ１０３ｆに登録する。使い切り情報計算・登録部１０３ｃは、使い切り情報として、食材情報における食材のそれぞれについての入庫と使い切り期間との蓄積を平均化した使い切り期間を割り出す。
【００１９】
地上デジタル対応テレビ１０１は、地上デジタル放送の料理番組やその他のサイトからレシピ情報（データ）を受信するレシピデータ受信部１０１ａと、レシピデータ受信部１０１ａで得られたレシピ情報（データ）と在庫情報及び残量情報とを比較した結果に基づいて、発注データとして、補充情報を反映した必要な食材についての最適な発注データを計算して各食品小売点端末１０１−１〜１０１−３へ送信して発注する発注データ計算・処理手段１０１ｂと、を備えて構成される。
【００２０】
図２は、この食材管理発注システムのインテリジェント冷蔵庫１０３に備えられるＩＣタグ読み取り部１０３ａ、及び在庫情報登録部１０３ｂの動作処理を示すフローチャートである。
【００２１】
この動作処理では、まずインテリジェント冷蔵庫１０３のドアを閉める（ステップＳ２０１）と、ＩＣタグ読み取り部１０３ａが冷蔵庫内をスキャンし、各食材に付加されたＩＣタグで冷蔵庫内の在庫食材を読み取る（ステップＳ２０２）処理を行い、これを在庫食材数分繰り返す（ステップＳ２０３）処理を行った結果、得られたＩＣタグ情報を在庫情報として食材データベースＤＢ１０３ｆに登録する。
【００２２】
次に、在庫情報登録部１０３ｂは、食材データベースＤＢ１０３ｆの食材マスタテーブルにスキャンした食材が登録されているか否かをチェックし、食材マスタに登録されている食材が否かを判別（ステップＳ２０４）する。この結果、スキャンした食材が食材マスタに登録されていなければ、食材マスタに「食材番号」、「食材名」、「内容量」を登録する（ステップ２０５）処理を行うが、スキャンした食材が食材マスタに登録されていれば何もせずに何れの場合にも引き続く処理へ移行する。
【００２３】
この引き続く処理は、スキャンした食材が食材データベースＤＢ１０３ｆの食材明細テーブルに登録されているか否かを判別（ステップＳ２０６）する処理である。この結果、スキャンした食材が食材明細テーブルに登録されていなければ食材明細テーブルに登録する（ステップ２０７）処理を行うが、スキャンした食材が食材明細テーブルに登録されていれば食材明細テーブルの「使い切り日」をスキャンした日、「使い切り期間」をＮＵＬＬで更新（ステップＳ２０８）し、何れの場合もその後は上記処理済みを確認（ステップＳ２０９）してから動作処理を終了する。
【００２４】
因みに、上記動作処理において、食材番号は該当する食材の食材マスタの食材番号と同一であるとし、食材明細番号は同一食材番号内の食材明細番号の最大値に１を加えた値とし、更に「入庫日」と「使い切り日」とはスキャンした日とする。
【００２５】
図３は、インテリジェント冷蔵庫１０３に備えられる使い切り情報計算・登録部１０３ｃ、及び残量情報計算・登録部１０３ｄの動作処理を示すフローチャートである。
【００２６】
ここでの動作処理は、食材データベースＤＢ１０３ｆにおける食材明細テーブルの「使い切り期間」の登録、食材ステータステーブルの「使い切り平均期間」・「使い切り予想日」・「残量（％）」・「残量（ｇ）」の計算・登録を行うフローである。
【００２７】
具体的に云えば、まず使い切り情報計算・登録部１０３ｃが食材データベースＤＢ１０３ｆの食材明細テーブルを読み取る（ステップＳ３０１）処理を行い、これを食材番号数分繰り返す（ステップＳ３０２）処理を行った結果、得られた各明細の「使い切り期間」がＮＵＬＬかつ「使い切り日」がスキャンした当日以外か否かを判別（ステップＳ３０３）する。この結果、「使い切り期間」がＮＵＬＬかつ「使い切り日」がスキャンした当日以外であれば食材明細ステータステーブルにおける「使い切り期間」に「入庫日」と「使い切り日」の差の日数を登録する（ステップＳ３０４）処理を行うが、「使い切り期間」がＮＵＬＬかつ「使い切り日」がスキャンした当日以外でなければ何もせずに何れの場合にも引き続く処理へ移行する。
【００２８】
この引き続く処理は、食材明細ステータテーブルの食材番号毎の「使い切り平均期間」を食材明細テーブルの「使い切り期間」の平均で更新する（ステップＳ３０５）処理であり、この後は「使い切り期間」がＮＵＬＬであるか否かの判別（ステップＳ３０６）を行う。この結果、「使い切り期間」がＮＵＬＬでなければ、残量情報計算・登録部１０３ｄの働きで食材ステータステーブルの「状態」を「なし」、「使い切り予想日」、「残量（％）」、「残量（ｇ）」をＮＵＬＬに更新する（ステップＳ３０７）処理を行うが、「使い切り期間」がＮＵＬＬであれば食材ステータステーブルの「状態」を「あり」、「使い切り予想日」を食材明細テーブルの「入庫日」に「使い切り平均期間」の日数を加えた日付、「残量（％）」を「使い切り平均期間」に占める「使い切り予想日」までの残日数の割合、「残量（ｇ）」を食材マスタの「内容量」に「残量（％）」を乗じた値に更新する（ステップＳ３０８）を行った後、何れの場合もその後は上記処理済みを確認（ステップＳ３０９）してから動作処理を終了する。
【００２９】
因みに、ここでの動作処理において、食材ステータステーブルの「状態」の有無は補充情報を示し、これを反映させて地上デジタル対応テレビ１０１の発注データ計算・処理部１０１ｂへ引き渡す。
【００３０】
図４は、この食材管理発注システムの地上デジタル対応テレビ１０１に備えられるレシピデータ受信部１０１ａ、及び発注データ計算・処理部１０１ｂの動作処理を示すフローチャートである。
【００３１】
この動作処理は、レシピデータ受信部１０１ａが料理に必要な食材情報を含む料理のレシピデータを受信し、発注データ計算・処理部１０１ｂが必要な食材と在庫する食材とを比較し、不足食材を発注処理するまでのフローである。
【００３２】
具体的に云えば、レシピデータ受信部１０１ａが地上デジタル放送を利用する等の手法により、料理番組を視聴し、料理に必要な食材情報を含む料理のレシピデータを受信する（ステップＳ４０１）処理を行い、これを必要食材分繰り返し（ステップＳ４０２）行う処理を行った結果、得られたレシピデータについて発注データ計算・処理部１０１ｂが食材データベースＤＢ１０３ｆにおける食材マスタを必要食材（食材情報）で検索する（ステップＳ４０３）処理を行い、更に、食材マスタに必要食材があるか否かを判別（ステップＳ４０４）する。
【００３３】
この結果、食材マスタに必要食材がなければ食材マスタの内容量単位により不足量以上を満たす最小個数の不足食材を発注データに追加する（ステップＳ４０８）処理へ移行する（ここで補充情報を反映した最適な発注データが得られる）が、食材マスタに必要食材があれば食材データベースＤＢ１０３ｆの食材ステータステーブルを必要食材に該当する食材番号で検索する（ステップＳ４０６）処理を行った後、必要食材の必要量と食材ステータステーブルの「残量（ｇ）」を比較する（ステップＳ４０６）処理を行い、更に、残量に必要量があるか否かを判別（ステップＳ４０７）する。この結果、残量に必要量がなければ食材マスタの内容量単位により不足量以上を満たす最小個数の不足食材を発注データに追加する（ステップＳ４０８）処理へ移行するが、残量に必要量があれば何もせずに何れの場合にもその後は上記処理済みを確認（ステップＳ４０９）してから食品小売店端末１０２−１〜１０２−３へ発注処理を行う（ステップＳ４１０）処理を経て動作処理を終了する。
【００３４】
図５は、食材データベースＤＢ１０３ｆの情報処理で扱う食材マスタのテーブル形式のデータを例示した図である。
【００３５】
図５に示す食材マスタでは、食材番号、食材名、及び内容量に対応してデータが登録されている様子を示している。
【００３６】
図６は、食材データベースＤＢ１０３ｆの情報処理で扱う食材明細テーブルのデータを例示した図である。
【００３７】
図６に示す食材明細テーブルでは、食材番号、食材明細番号、入庫日、使い切り日、及び使い切り期間に対応してデータが登録されている様子を示している。
【００３８】
図７は、食材データベースＤＢ１０３ｆの情報処理で扱う食材ステータステーブルのデータを例示した図である。
【００３９】
図７に示す食材ステータステーブルでは、食材番号、状態、使い切り平均期間、使い切り予想日、残量（％）、及び残量（ｇ）に対応してデータが登録されている様子を示している。
【００４０】
図８は、地上デジタル対応テレビ１０１に備えられるレシピデータ受信部１０１ａの情報処理で扱うレシピデータを例示した図である。
【００４１】
図８に示すレシピデータでは、食材名、及び必要量（ｇ）に対応してデータが取得された様子を示している。
【００４２】
図９は、地上デジタル対応テレビ１０１に備えられる発注データ計算・処理部１０１ｂの情報処理で扱う発注データを例示した図である。
【００４３】
図９に示す発注データ（最適発注データ）では、食材名、及び発注数に対応してデータが作成された様子を示している。
【００４４】
以上のインテリジェント冷蔵庫１０３及び地上デジタル対応テレビ１０１における各部の動作処理により、インテリジェント冷蔵庫１０３での食材の在庫状況の管理を簡易化し、利用者が地上デジタル対応テレビ１０１から作成した食材の最適な発注データをネットワーク１０４経由で食品小売店端末１０２−１〜１０２−３へ送信して発注する機能が構築される。この結果、十分なサービス性を以って的確に食材を管理、発注し、最終的に調達することができる。
【００４５】
尚、上述した実施例１に係る食材管理発注システムでは、ネットワーク１０４に３機の食品小売店端末１０２−１〜１０２−３が接続された構成としたが、端末接続数はこれに限定されない。
【符号の説明】
【００４６】
１０１  地上デジタル対応テレビ
１０１ａ  レシビデータ受信部
１０１ｂ  発注データ計算・処理部
１０２−１〜１０２−３  食品小売店端末
１０３  インテリジェント冷蔵庫
１０３ａ  ＩＣタグ読み取り部
１０３ｂ  在庫情報登録部
１０３ｃ  使い切り情報計算・登録部
１０３ｄ  残量情報計算・登録部
１０３ｅ  データベースＤＢ制御部
１０３ｆ  食材データベースＤＢ
【図１】
2011203932.tif 000003
【図２】
2011203932.tif 000004
【図３】
2011203932.tif 000005
【図４】
2011203932.tif 000006
【図５】
2011203932.tif 000007
【図６】
2011203932.tif 000008
【図７】
2011203932.tif 000009
【図８】
2011203932.tif 000010
【図９】
2011203932.tif 000011